(57)【要約】【課題】  簡単、かつ、容易な構成で障害物検知ができるような防火シートシャッター装置を構成する。【解決手段】  シート体１の下端に配される剛性の主座板７の座板本体８を、上下一対の座板部材１４、１５で構成し、主座板下面１５ｃに保持金具１８を両面テープを用いて固定し、該保持金具１８にテープスイッチ１９を抜け止め状に保持せしめ、前記テープスイッチ１９を主座板下面１５ｃとともに、不燃性のシート材からなる覆蓋シート２０で覆って、テープスイッチ１９が外部に露出しない構成とするとともに、覆蓋シート２０の内外面覆蓋部２０ｂ、２０ｃは、上下の座板部材１４、１５の内外側片１４ａと１５ａ、１４ｂと１５ｂのあいだに挟持状に保持する構成とする。【選択図】        図５
2007056449.tif 000002
【特許請求の範囲】
【請求項１】
不燃性のシート材で構成したシート体が、開口部に配したガイドレールの移動案内を受けて開閉作動する防火シートシャッター装置において、シート体の下端に配される剛性の座板の下面に、障害物との当接を検知するテープスイッチを設けるとともに、該テープスイッチと座板下面とを不燃性シート材からなる覆蓋シートにより覆い、外部に露出しないように構成した防火シートシャッター装置。
【請求項２】
請求項１において、座板は、少なくとも二つの座板部材を積層部を存して組み込まれる構成とし、テープスイッチと座板下面とを覆蓋した覆蓋シートの縁部は、これら座板部材の積層部に挟持状に保持されている防火シートシャッター装置。
【請求項３】
請求項１または２の何れか一項において、座板の長手方向両端部においてテープスイッチと座板下面とを覆蓋した覆蓋シートの縁部は、座板の長手方向両端部と該両端部に連結される振れ止め部材とのあいだにそれぞれ挟持状に保持されている防火シートシャッター装置。
【請求項４】
請求項１、２または３の何れか一項において、テープスイッチは、保持金具に設けられ、該保持金具を座板下面に固定する構成とする一方、前記保持金具の座板への固定手段は、座板の熱変形が生じる温度よりも低い温度で剥離する両面テープで構成されている防火シートシャッター装置。
【発明の詳細な説明】
【技術分野】
【０００１】
本発明は、建築物の開口部に設けられ、防火、防煙区画を形成して火災時の延焼、類焼を防止する防火シートシャッター装置の技術分野に属するものである。
【背景技術】
【０００２】
一般に、開口部を開閉するシート体で構成されたシートシャッター装置のなかには、シート体を不燃性のシート材で構成して、シート体を閉鎖することにより防火区画を形成して延焼、類焼を防止する防火シートシャッター装置としたものが知られている。
【０００３】
このような防火シートシャッター装置では、シート体の下端部に重量のある剛性の座板を連結し、座板の荷重がシート体の自重に付加する構成とし、シート体の閉鎖作動が円滑、かつ、速やかになされるようにすると共に、開口部を閉鎖したシート体が強風に煽られたり、ガイドレールから抜け出したりするのを防止するようにしたものが提唱されるている。
【特許文献１】特開２００４−１５００５０
【発明の開示】
【発明が解決しようとする課題】
【０００４】
ところで、近年、シャッター装置に、シャッターカーテンの閉鎖時に障害物に当接することでシャッターカーテンの閉鎖作動を緊急停止する障害物検知装置を設けることが要求されている。しかるに、不燃性、耐熱性の機能を備えた防火シートシャッターのようなシャッター装置に、通常の仕様で用いられる障害物検知装置を格別不燃処理することなく、そのままの構成で設けた場合、火災発生の初期段階で先に障害物検知装置が燃焼し、不作動になってしまう惧れがあり、ここに本発明の解決すべき課題がある。
【課題を解決するための手段】
【０００５】
本発明は、上記の如き実情に鑑みこれらの課題を解決することを目的として創作されたものであって、請求項１の発明は、不燃性のシート材で構成したシート体が、開口部に配したガイドレールの移動案内を受けて開閉作動する防火シートシャッター装置において、シート体の下端に配される剛性の座板の下面に、障害物との当接を検知するテープスイッチを設けるとともに、該テープスイッチと座板下面とを不燃性シート材からなる覆蓋シートにより覆い、外部に露出しないように構成した防火シートシャッター装置である。
請求項２の発明は、請求項１において、座板は、少なくとも二つの座板部材を積層部を存して組み込まれる構成とし、テープスイッチと座板下面とを覆蓋した覆蓋シートの縁部は、これら座板部材の積層部に挟持状に保持されている防火シートシャッター装置である。
請求項３の発明は、請求項１または２の何れか一項において、座板の長手方向両端部においてテープスイッチと座板下面とを覆蓋した覆蓋シートの縁部は、座板の長手方向両端部と該両端部に連結される振れ止め部材とのあいだにそれぞれ挟持状に保持されている防火シートシャッター装置である。
請求項４の発明は、請求項１、２または３の何れか一項において、テープスイッチは、保持金具に設けられ、該保持金具を座板下面に固定する構成とする一方、前記保持金具の座板への固定手段は、座板の熱変形が生じる温度よりも低い温度で剥離する両面テープで構成されている防火シートシャッター装置である。
【発明の効果】
【０００６】
請求項１の発明とすることにより、汎用のテープスイッチを用いる構成でありながら、信頼性の高い防火設備とすることができる。
請求項２の発明とすることにより、覆蓋シートの保持を専用の保持部材を設けることなく行うことができて、部品点数の削減、構造の簡略化を果すことができる。
請求項３の発明とすることにより、覆蓋シートの長手方向両端部の保持を専用の保持部材を設けることなく行うことができて、部品点数の削減、構造の簡略化を果すことができる。
請求項４の発明とすることにより、テープスイッチの信頼性を高めることができ、しかも、座板の熱変形の以前の段階で保持金具が脱落し、保持金具の熱変形が座板の熱変形に影響を与えるようなことがない。
【発明を実施するための最良の形態】
【０００７】
つぎに、本発明の第一の実施の形態について、図面に基づいて説明する。
図面において、１は建築物の間仕切りとして設けられる防火シートシャッター装置のシート体であって、該シート体１は不燃性または耐火性のあるシート材を用いて構成されている。前記シート体１は、上端部が天井部に回転自在に設けられた巻き取りドラム２に連結されており、該巻き取りドラム２に連動連結される開閉機３の正逆回動に基づいて巻き取りドラム２が回転することにより、シート体１が巻き取りドラム２に巻き取り、巻き出しされるように構成され、これによって、シート体１は、左右両側縁部が開口部の左右両側部に配されるガイドレール４にガイドされる状態で、開口部を開放する全開姿勢から開口部を閉鎖する全閉姿勢とのあいだを変姿するように設定されている。
尚、シートシャッター装置は、通常時は全開姿勢となっており、火災等の発生に伴い検知センサが作動することに基づいて開閉機３が閉鎖作動し、これによって、シート体１が開口部に巻き出されて全閉姿勢となったとき、該シート体１が空間を間仕切りして防火区域を形成するように設定されている。
【０００８】
前記シート体１は、左右方向中間部に避難用の開口部となるべく、下端縁から矩形状に切り欠いた避難口Ｈが形成されており、該避難口Ｈを覆蓋する内外一対の避難扉５、６がシート体１に縫着されている。ここで、避難扉５、６は、図１において左側縁部と、上縁部とをシート体１の避難口Ｈの周縁部に縫着することにより、右側縁部と下端縁部とを二辺とする略三角形状部位（図１において一点鎖線で示す部位）が、避難口Ｈを開閉するように構成されている。また、避難扉５、６は、戸先側部位および上縁部とが、シート体１の避難口Ｈの右側縁部および上縁部とに積層する（重合する）よう、避難口Ｈよりも大きい寸法設定で形成され、閉鎖時の封止性を高める配慮がなされている。
そして、シート体１の下端部、即ち、避難口Ｈの左右部位となるシート体１の下端部には、金属材で形成される剛性の主座板（本発明の座板に相当する）７が配されているが、該主座板７は、所定の重量を存したものに構成することにより、シート体１のウエイトとして機能するように構成されている。
【０００９】
前記主座板７は、水平方向を向く上面８ａを備えた座板本体８と、前記上面８ａから上方に突出する一側片９ａを備えた内外一対の連結体９とにより構成されており、前記座板本体８は、避難口Ｈの両側を繋ぐようにシート体１の左右方向全長の長さと略等しい長さに設定されている。一方、連結体９はＬ字形状に形成され、前述したように、一側片９ａは前記上面８ａから起立し、他側片９ｂは座板本体上面８ａに螺子９ｃを用いて一体的に固定（螺着）されるように設定されている。ここで、内外一対の連結体９は、一側片９ａ同士が互いに近接する状態で上面８ａに配され、これら一側片９ａ同士のあいだに、シート体１の下方に延出する左右部位の下端部を挿入し、螺子９ｄを用いて固定することにより、シート体１と主座板７との連結がなされるように設定されている。そして、連結体９は、座板本体８（主座板７）の左右部位にのみ配設され、左右方向中間部に配設されることはないように構成されている。
【００１０】
一方、シート体１に縫着された内外一対の避難扉５、６の下端部には、座板本体８とは移動自在な関係で避難扉用座板１０、１１がそれぞれ連結されている。前記避難扉用座板１０、１１は、図４に示すように、上方が開口する断面Ｕ字形に形成されており、避難扉５、６の下端部をＵ字溝１０ａ、１１ａに挿入し、螺子１０ｂ、１１ｂを用いて一体的に固定（螺着）することにより一体的な連結がなされている。そして、内外避難扉５、６の戸尻側に対向する避難扉用座板１０、１１の左側端部と、主座板７の左側に位置する内外一対の連結体９の一側片９ａにおける右側端部とのあいだにそれぞれ丁番１２が設けられており、これによって、連結体９に対して避難扉用座板１０、１１が揺動自在に連結され、避難扉５、６がシート体１に対して開閉揺動し、避難口Ｈを開閉するように構成されている。
ここで、前記丁番１２は、内外の連結体一側片９ａと避難扉用座板１０または１１に連結する一対の連結片１２ａ、１２ｂと、これらを揺動自在に枢支する枢軸１２ｃとを備えて構成されるが、本実施の形態の枢軸１２ｃは、上下方向を向き、かつ、下端ほどシート体１のシート面から離間するよう傾斜状に配されており、これによって、各避難扉５、６を内外何れかの方向へ開放操作したとき、避難扉５、６から手を放すことで、自動的な閉鎖ができるように構成されている。
【００１１】
このように構成された防火シートシャッター装置は、火災発生時において、避難扉５、６は閉鎖姿勢となっており、シート体１のシート面とともに広い空間の間仕切りとして機能して防火区画を形成する。この状態において、間仕切りされた空間から人が避難しようとする場合では、屋内側の避難扉５を手前に引いて開放し、屋外側の避難扉６を押しやって開放することで避難口Ｈが開放されて避難することができるように構成されている。そして、各避難扉５、６は、前述したように、開放操作をした状態から手を放すことで自動的に閉鎖され、再び防火区画を形成するように構成されている。
【００１２】
このものにおいて、シート体１の左右両端部１ａを除く全長に亘って配されている主座板７は、長尺状の板材を折曲形成した上下一対の主座板部材１４、１５を一体化することにより構成されている。前記上側主座板部材１４は下方が開口する断面コ字形状であり、一対の内外側片１４ａ、１４ｂと、これらのあいだを連結し、前記主座板７の水平状の上面８ａを構成する平板状の主座板上片１４ｃとを備えて形成されている。また、下側主座板部材１５は上方が開口する断面コ字形状であり、一対の内外側片１５ａ、１５ｂと、これらのあいだを連結し、主座板７の水平状の下面１５ｃを構成する平板状の主座板下片１５ｄとを備えて形成されている。そして、主座板７は、下側主座板部材１５の内外側片１５ａ、１５ｂに、上側主座板部材１４の内外側片１４ａ、１４ｂを外嵌させる状態で突き合せ状に嵌合組み込みすることで構成されており、上下片１４ｃ、１５ｄとのあいだに形成される空隙部にはコア材１６が内装されている。
【００１３】
さらに、シート体１下端部における左右両端部１ａは、主座板７に連結されない状態になており、該左右両端部１ａには、シート体１の左右側縁部とともにガイドレール４にガイドされる振れ止め体（本発明の振れ止め部材）１７の一対が、シート体１の内外面に突き当たる状態で連結されている。前記一対の振れ止め体１７は、主座板７に連結される連結体９の内外一対の一側片９ａの左右方向端面にそれぞれ突き当てられる段差面部１７ａと、該段差面部１７ａの一側に形成されガイドレール４に嵌入するべく互いに近接する嵌入部１７ｂと、段差面部１７ａの他側に形成され、主座板７に連結される連結体一側片９ａのそれぞれ外方から宛てがわれる状態で一体的に連結されるべく互いに離間する連結片部１７ｃと、該連結片部１７ｃの下方、即ち、主座板７の左右の端面における内外部位に対向する主座板突き当て片１７ｄとがそれぞれ形成されている。
【００１４】
そして、前記主座板７の下面１５ｃ全長には、長尺状の保持金具１８が一体的に固定されるが、該保持金具１８は、金属材（アルミ）により一体型成形されたものであり、下方が開口する蟻溝状の凹部１８ａが長手方向一体に形成されており、該凹部１８ａに、障害物検知装置に相当する長尺状のテープスイッチ１９の上半部が抜け止め状に設けられている。前記テープスイッチ１９は、上下方向の負荷を受けることに基づいてスイッチ切り換えがなされる構成であって、一般に汎用されている可燃性樹脂製のものが用いられている。そして、テープスイッチ１９は、シート体１の閉鎖作動の過程で、主座板７が障害物に当接した場合にスイッチ切り換えがなされ、開閉機３は、これに基づいてシート体１の閉鎖作動を停止するように構成されている。
この場合に、テープスイッチ１９の上側半部を内装保持する保持金具１８は、溝底片１８ｂを構成する上面１８ｃを主座板下面１５ｃに固定されるが、本実施の形態の固定手段は、保持金具上面１８ｃと主座板下面１５ｃとのあいだを、保持金具１８が熱変形するよりも低い温度で接着力が消失する両面テープ（図示せず）を用いて一体的に接着する構成となっている。これによって、保持金具１８は、金属製であるが故に熱変形を生じるが、該熱変形を生じる以前の段階で両面テープが溶融して主座板下面１５ｃから剥がれ落ち、主座板下片１５ｄを、保持金具１８の熱変形により変形させてしまうような不具合を回避するように構成されている。
因みに、障害物検知装置としてテープスイッチ１９を用いることにより、主座板７の上下方向高さを可及的に低い寸法となっている。これは、本実施の形態の防火シートシャッター装置には、シート体１が全閉した状態でも人が緊急脱出できるように内外一対の避難扉５、６が設けられた構成となっており、これら避難扉５、６は、下方に主座板７が接地した状態で開放されるため、緊急脱出する人は主座板７を構成する座板本体８を跨いで脱出することになり、座板本体８が邪魔になって躓いてしまうような不具合がないよう、座板本体８の上下方向高さを低くして一層迅速な脱出が図れるようにしている。
【００１５】
そして、テープスイッチ１９は、前述したように可燃性樹脂製であるので、単に主座板下面１５ｃに固定した状態ではテープスイッチ１９が外部に露出する（外気に直接触れる）状態であり、このままでは防火設備として採用することはできない。
そこで、本実施の形態のテープスイッチ１９は、シート体１を構成する不燃性シート材と同様の材料で形成された覆蓋シート２０により、主座板下片１５ｄとともに覆われて外部に露出することがないように構成され、これによって、可燃性樹脂製のテープスイッチ１９を防火設備として採用することができるようにしている。
【００１６】
つまり、前記覆蓋シート２０は、図５（Ｄ）に示すように、主座板下面１５ｃの長手方向長さに相当する横寸法Ｌ１、主座板下面１５ｃの内外方向幅よりも長い縦寸法Ｌ２に設定された下面覆蓋部２０ａと、該下面覆蓋部２０ａの長手方向両縁部から延出し、該延出長さＬ３が、下側主座板部材１５の内外側片１５ａ、１５ｂの長さよりも長く設定された内外面覆蓋部２０ｂ、２０ｃと、主座板７の左右両端面となる台形形状に相当するべく、主座板７の上下高さに相当する高さＬ４、座板本体上面８ａに相当する上底Ｌ５、主座板下面の内外方向幅よりも長い過程Ｌ２を有した台形に形成された左右端面覆蓋部２０ｄ、２０ｅとを一体に備えるように裁断されている。
【００１７】
そして、覆蓋シート２０は、主座板７の組み込みから、該主座板７の連結体９をシート体１に装着する過程で取り付けられるように設定されている。まず、下側座板部材１５にテープスイッチ１９が装着された保持金具１８を両面テープにより貼着し、続いて下側主座板部材１５にコア材１６を組み込む。さらに、下側主座板部材１５のテープスイッチ１９（保持金具１８）が装着された下面１５ｃに覆蓋シート２０の下面覆蓋部２０ａを宛てがい、内面覆蓋部２０ｂを、内側片１５ａからコア材１６の上面に沿わせ、外面覆蓋部２０ｃを、外側片１５ｂからコア材１６の上面に沿わせた状態とする。このものに対し、上側主座板部材１４の内外側片１４ａ、１４ｂを、内外面覆蓋部２０ｂ、２０ｃにより覆われた下側主座板部材１５の内外側片１５ａ、１５ｂに外嵌させるように組み込んで、内面覆蓋部２０ｂが上下側主座板部材１４、１５の内側片１４ａ、１５ａ同士のあいだから上片１４ｃとコア材とのあいだ、外面覆蓋部２０ｃが外側片１４ｂ、１５ｂ同士のあいだから上片１４ｃとコア材とのあいだにそれぞれ挟持される状態とする。そして、この状態で、座板本体上面８ａに連結体９の他側片９ｂを宛てがい、螺子９ｃを用い、前記他側片９ｂとともに、主座板７の上片１４ｃおよびコア材１６にそれぞれ螺着固定することにより、覆蓋シート２０の内外覆蓋部２０ｂ、２０ｃが主座板７を構成する上下の座板部材１４、１５の嵌合部（外嵌部）に挟持状に保持されるように設定されている。このように、主座板７にテープスイッチ１９、連結体９を組み込んだ後、連結体９の一側片９ａにシート体１左右部位の下端部を螺子９ｄを用いて連結することにより、主座板７とシート体１との一体的な連結がなされるように設定されている。
【００１８】
さらに、主座板７の左右端面に覆蓋シート２０の左右端面覆蓋部２０ｄ、２０ｅをそれぞれ沿わせ、この状態でシート体１の左右端１ａに、内外一対の振れ止め体１７を固定する。このとき、振れ止め体１７の段差面部１７ａを連結体一側片９ａの左右端面にそれぞれ突き当て、各嵌入部１７ｂをシート体左右端１ａの内外面に沿わせ、連結片部１７ｃを連結体一側片９ａに沿わせるとともに、連結片部１７ｃの下方に形成された主座板突き当て片１７ｄを、主座板７の左右端面に沿って配され、テープスイッチ１９と座板下片１５ｄとを覆う左右端面覆蓋部２０ｄ、２０ｅの内外部位にそれぞれ突き当てた状態とし、螺子１７ｅを用いて振れ止め体１７側の連結片部１７ｃと主座板７側の連結体一側片９ａとを螺着することにより、振れ止め体１７の主座板７への固定がなされ、これとともに、覆蓋シート２０の左右端面覆蓋部２０ｄ、２０ｅは、主座板７の左右端面と主座板突き当て片１７ｄとのあいだに挟持状に保持されるように設定されている。
このように、覆蓋シート２０の内外面覆蓋部２０ｂ、２０ｃを主座板７の嵌合部に挟持保持させ、左右端面覆蓋部２０ｄ、２０ｅを主座板７の左右端と振れ止め体１７とのあいだに挟持保持させることにより、テープスイッチ１９は座板下片１５ｄ（下面１５ｃ）とともに一体に覆蓋シート２０で覆われて、外部に露出することがないように構成されている。
【００１９】
叙述の如く構成された本形態において、防火シートシャッター装置は、火災等の異常検知に伴い開閉機３が閉鎖駆動してシート体１を閉鎖せしめ、広い空間に防火区画を形成するが、このとき、シート体１に形成された内外避難扉５、６は積層状の閉鎖姿勢になっている。そして、シート体１が全閉姿勢になった状態では、必要において内外避難扉５、６を順次開放することにより緊急脱出が可能となる。しかも、このものでは、シート体１の下端部の略全長に亘って主座板７が設けられており、ここに、障害物検知装置を構成するテープスイッチ１９が設けられていて、シート体１の閉鎖作動の過程で障害物に当接したような場合に、シート体１の閉鎖作動が緊急停止される。この結果、火災等の異常時にあって、脱出しようとする人の安全を一層確実にすることが可能となる。
しかも、本発明が実施されたものにあっては、障害物検知装置として、汎用される可燃性樹脂材で形成されたテープスイッチ１９を用いる構成としたので、主座板７を構成する座板本体８の上下方向高さを可及的に低い寸法となし得て、避難扉５、６を設けることにより座板本体８を人が跨ぐことが想定されるような場合に、躓きを防止することができて有効となる。しかも、テープスイッチ１９は、可燃性である汎用のものを採用したものでありながら、不燃性のシート材からなる覆蓋シート２０により主座板下面１５ｃとともに覆われて外部に露出することがないので、テープスイッチ１９が、火災初期のシート体１の閉鎖時において燃えてしまい、障害物検知ができなくなるようなことがなく、信頼性の高い防火設備としての機能を充分発揮することができる。
【００２０】
そのうえ、このものでは、テープスイッチ１９を外部（外気）から隔絶する覆蓋シート２０は、内外面覆蓋部２０ｂ、２０ｃが、防火設備としての水準を備えた金属製の主座板７（座板本体８）を構成する上下側主座板部材１４、１５の内外側片１４ａと１５ａ、１４ｂと１５ｂとのあいだに挟持状に保持される構成としたので、覆蓋シート２０の長手方向縁部の主座板７への固定処理が容易で構成の簡略化を図れるとともに保持作業が容易となるうえ、部品点数の低減を果せ、しかも、覆蓋シート２０の切れ端が外部に露出することがなく意匠的にも優れる。
【００２１】
さらに、このものでは、覆蓋シート２０は、左右端面覆蓋部２０ｄ、２０ｅにより主座板７の下面１５ｃとテープスイッチ１９との両端部をも覆蓋するが、該左右端面覆蓋部２０ｄ、２０ｅは、ガイドレール４に嵌入するためにシート体１の左右両端部１ａに配される振れ止め体１７の主座板突き当て片１７ｄを主座板７の両端面に突き当てることにより、これらのあいだに挟持状に保持することができ、該部位の主座板７への固定処理が容易で構成の簡略化を図れるとともに保持作業が容易となるうえ、部品点数の低減を果せ、しかも、覆蓋シート２０の切れ端が外部に露出することがなく意匠的にも優れる。
【００２２】
また、このものにおいて、可燃性樹脂製のテープスイッチ１９は、金属製の保持金具１８に抜け止め状に保持され、該保持金具１８が主座板７の下面１５ｃに固定される構成として、テープスイッチ１９の信頼性を高める構成となっているが、保持金具１８の下面１５ｃへの固定手段は、主座板７（金属材）が熱変形（溶融）するよりも以前の段階で接着力を消失する両面テープによるものとしたので、保持金具１８が熱変形する以前に主座板下面１５ｃから剥がれ落ち（脱落し）、保持金具１８の熱変形により下側主座板部材１５に影響を与えてしまうような不具合を回避できる。
【００２３】
尚、本発明は前記実施の形態に限定されないことは勿論であって、図８、９に示す第二の実施の形態のように構成することもできる。
第二の実施の形態のシート体２１は、前記第一の実施の形態のように避難扉が形成されることはなく、一枚状のシート材がそのまま用いられたものになっている。そして、この場合、シート体２１が閉鎖した状態において、シート体１下端部に配される座板２２を人が跨ぐような状況は発生することはない。このため、本実施の形態の座板２２は、矩形状の上下方向に長い形状に形成されている。このものでは、座板２２の下端面２２ａに、テープスイッチ２３を抜け止め状に保持した保持金具２４が両面テープ（図示せず）を介して固定されている。このため、保持金具２４が変形する以前の段階で脱落して、該保持金具２４の変形が座板２２に悪影響を与えないことは前記実施の形態と同様となっている。
そして、このものでも、保持金具２４とテープスイッチ２３とを座板２２の下端面２２ａとともに覆蓋シート２５により覆う構成となっており、テープスイッチ２３が外部に露出することがない構成としている。この場合に、覆蓋シート２５の内外の長手方向端縁部２５ａを座板２２の下側コーナー部に宛てがい、さらにその外側にＬ字形に形成され、座板２２の補強部材としての機能を有する内外一対の当て部材２６を宛てがって、覆蓋シート２５を螺子２６ｃを用いて螺着することにより、当て部材２６と座板２２の内外面とのあいだに挟持状に保持する構成となっている。これによって、可燃性樹脂材のテープスイッチ２３を用いて障害物検知装置を構成するものでありながら、防火設備としての機能を備えたものにすることができる。さらにこのものでも、覆蓋シート２５の縁部が当て部材２６により挟持されて、切れ端が外部に露出しないようにしているので、意匠性に優れる。尚、このものでは、一対の当て部材２６は、座板下端面２２ａから座板内面２２ｂ、下端面２２ａから外面２２ｃに沿ってそれぞれ覆蓋シート２５を覆う構成となっていて、覆蓋シートの補強もなされる。
【図面の簡単な説明】
【００２４】
【図１】図１（Ａ）、（Ｂ）はそれぞれ防火シートシャッター装置の内側からの全体正面図、防火シートシャッター装置の作用を説明する平面図である。
【図２】防火シートシャッター装置の側面断面図である。
【図３】図３（Ａ）、（Ｂ）はそれぞれ避難扉の連結状態を説明する一部平面図、一部正面図である。
【図４】図３（Ｂ）におけるＸ−Ｘ断面図である。
【図５】図５（Ａ）、（Ｂ）、（Ｃ）、（Ｄ）はそれぞれ振れ止め体の正面図、平面図、側面図、覆蓋シートの展開図である。
【図６】図６（Ａ）、（Ｂ）はそれぞれ図１（Ａ）におけるＸ−Ｘ断面図、要部の側面図である。
【図７】図６（Ａ）におけるＸ−Ｘ断面図である。
【図８】第二の実施の形態における防火シートシャッター装置の側面断面図である。
【図９】第二の実施の形態における要部を説明する断面図である。
【符号の説明】
【００２５】
１    シート体
２    巻き取りドラム
４    ガイドレール
５    避難扉
７    主座板
８    座板本体
９    連結体
１０    避難扉用座板
１４    上側主座板部材
１７    振れ止め体
１７ｄ    端面突き当て片
１８    保持金具
１９    テープスイッチ
２０    覆蓋シート
【図１】
2007056449.tif 000003
【図２】
2007056449.tif 000004
【図３】
2007056449.tif 000005
【図４】
2007056449.tif 000006
【図５】
2007056449.tif 000007
【図６】
2007056449.tif 000008
【図７】
2007056449.tif 000009
【図８】
2007056449.tif 000010
【図９】
2007056449.tif 000011